(57)【要約】      （修正有）【課題】太股上部に腰掛をベルトで縛り付けても、立ちあがった拍子にベルトと腰掛が同時にズリ落ちない身体装着型腰掛を提供する。【解決手段】身体装着型腰掛本体（１）のＡ側とＢ側を作業者が左右の足で跨いで、腰掛面（２）に腰掛けた作業者の身体の背面側に位置するＣ側の突起（７ａ）に、立上体（５ａ）を設け、作業者身体の前面側に位置するＤ側の突起（７）に、立上体（５）を設けて、立上体（５ａ）と立上体（５）とに連続する帯（８）が、腰掛面（２）に腰掛けた作業者の身体の腰骨より上で締め付けられる様にした。【選択図】図１
2017144209.tif 000002
【特許請求の範囲】
【請求項１】
身体装着型腰掛本体（１）で、身体装着型腰掛本体（１）のＡ側とＢ側を作業者が左右の足で跨いで、腰掛面（２）に腰掛けた作業者の身体の背面側に位置するＣ側の突起（７ａ）に、立上体（５ａ）を設け、作業者身体の前面側に位置するＤ側の突起（７）に、立上体（５）を設けて、立上体（５ａ）と立上体（５）とに連続する帯（８）が、腰掛面（２）に腰掛けた作業者の身体の腰骨より上で締め付けられる様にしたことを特徴とする身体装着型腰掛。
【請求項２】
身体装着型腰掛本体（１）で、腰掛面（２）のＣ側とＤ側とに設けた立上体（５ａ），（５）に弾性材（６ａ），（６）を用いる事を特徴とする身体装着型腰掛。
【発明の詳細な説明】
【発明の詳細な説明】
【技術の分野】
【０００１】  本発明は、農作業等に使用する身体装着型腰掛に関する。
【背影の技術】
【０００２】  従来も車付きの腰掛けやら太股に締め付け装着する腰掛けなど色々出ていますが、どれも実用的に一長一短があり不便さがあった。
【先行技術文献】
【０００３】  １、特許第３５０２７９５号  ２、特願平８−２０２１１６
【発明の概要】
【発明が解決しようとする課題】
【０００４】  従来の身体装着型腰掛の問題点は、太股上部に腰掛をベルトで縛り付けても太股は裾へすぼんでいるから着衣の上から相当強く縛り付けても、立ち上がった拍子にベルトと腰掛けが同時にズリ落ちてしまっていた。
【課題を解決する為の手段】
図１は本発明の身体装着型腰掛の斜視図である。身体装着型腰掛本体（１）で腰掛面（２）のＡ側に作業者の左足を、Ｂ側に右足を置き、腰掛面（２）を跨ぎ尻を腰掛面（２）に乗せ、腰掛けた作業者の身体の背面側に位置する身体装着型腰掛本体（１）のＣ側に設けた突起（７ａ）に、弾性材（６ａ）と調整紐（４ａ）から成る立上体（５ａ）を設けて立ち上げ、調整紐（４ａ）を高さ調整してバックル（３ａ）に結び、更に腰掛けた作業者の前面側に位置する腰掛面（２）のＤ側の突起（７）に弾性材（６）と調整紐（４）から成る立上体（５）を立ち上げて調整紐（４）を高さ調整してバックル（３）に結び、腰掛面（２）に腰掛けた作業者の腰骨よりも上で帯（８）がバックル（３），（３ａ）を介して締め付けられるようにした。尚、バックル（３），（３ａ）を介して帯（８）を締めても良いが、バックル（３），（３ａ）は無しで一環する帯（８）に調整紐（４），（４ａ）を縛ぎ帯（８）の端どうしを直接結んでも良い。尚、弾性材（６），（６ａ）はコイルバネやゴム等でも良い。
【発明の効果】
身体装着型腰掛本体（１）の腰掛面（２）のＣ側とＤ側に立ち上げた立上体（５ａ），（５）を設けた事で腰掛面（２）に腰掛けた作業者の腰骨よりも上で帯（８）が締め付けられるから腰掛けた作業者が立ち上っても身体装着型腰掛本体（１）が尻からズリ落ちる事なくそのまま移動でき連続作業ができる。更にＣ側とＤ側に設けた立上体（５ａ）と（５）に、弾性材（６ａ）と（６）を用いる事で腰掛けた作業者の動きが、スムーズに行く。更に立上体（５ａ）と（５）に調整紐（４ａ）と（４）を設けた事で帯（８）の高さを調整できる。
【実施例１】
【０００５】  図２は実施例の斜視図で身体装着型腰掛本体（１）の高さを変えられる様に積層体（１０）の適当個所に面ファスナー（９）を設け、身体装着型腰掛本体（１）の底面にも適当個所に面ファスナー（９）を設け、面ファスナーを介して連接して積層体（１０）に重ねて、高さを変えられる様にした。
【実施例２】図３は実施例の斜視図で、身体装着型腰掛本体（１）を車輪（１１）の付いた台車体（１２）に面ファスナー（９）を適当個所に設けた上に乗せ、身体装着型腰掛本体（１）の底面の適当個所に設けた面ファスナー（９）とを、くっ付けて腰掛けた作業者が足を踏ん張れば、そのまま車輪（１１）が回って移動できる。作業現場によって、それぞれの使い分けができる。
【図面の簡単な説明】
【０００６】
【図１】は、本発明の斜視図である。
【図２】及び
【図３】は本発明の実施例の斜視図。
【符号の説明】
【０００８】（１）は、身体装着型腰掛本体。（２）は、腰掛面。（３），（３ａ）は、バックル。
（４），（４ａ）は、調整紐。（５），（５ａ）は、立上体。（６），（６ａ）は弾性材。
（７），（７ａ）は、突起。（８）は、帯。（９）は、面ファスナー。
（１０）は、積層体。（１１）は、車輪。
（１２）は、台車体。
【図１】
2017144209.tif 000003
【図２】
2017144209.tif 000004
【図３】
2017144209.tif 000005
【手続補正書】
【提出日】平成28年12月22日(2016.12.22)
【手続補正１】
【補正対象書類名】明細書
【補正対象項目名】全文
【補正方法】変更
【補正の内容】
【発明の詳細な説明】
【発明の詳細な説明】
【技術の分野】
【０００１】  本発明は、農作業等に使用する身体装着型腰掛に関する。
【背影の技術】
【０００２】  従来も車付きの腰掛けやら太股に締め付け装着する腰掛けなど色々出ていますが、どれも実用的に一長一短があり不便さがあった。
【先行技術文献】
【０００３】１、特許第３５０２７９５号  ２、特願平８−２０２１１６
【発明の概要】
【発明が解決しようとする課題】
【０００４】  従来の身体装着型腰掛の問題点は、太股上部に腰掛をベルトで縛り付けても太股は裾へすぼんでいるから着衣の上から相当強く縛り付けても、立ち上がった拍子にベルトと腰掛けが同時にズリ落ちてしまっていた。
【課題を解決する為の手段】
【０００５】  図１は本発明の身体装着型腰掛の斜視図である。身体装着型腰掛本体（１）で腰掛面（２）のＡ側に作業者の左足を、Ｂ側に右足を置き、腰掛面（２）を跨ぎ尻を腰掛面（２）に乗せ、腰掛けた作業者の身体の背面側に位置する身体装着型腰掛本体（１）のＣ側に設けた突起（７ａ）に、弾性材（６ａ）と調整紐（４ａ）から成る立上体（５ａ）を設けて立ち上げ、調整紐（４ａ）を高さ調整してバックル（３ａ）に結び、更に腰掛けた作業者の前面側に位置する腰掛面（２）のＤ側の作業者の股間に位置する突起（７）に弾性材（６）と調整紐（４）から成る立上体（５）を立ち上げて調整紐（４）を高さ調整してバックル（３）に結び、腰掛面（２）に腰掛けた作業者の腰骨よりも上で帯（８）がバックル（３），（３ａ）を介して締め付けられるようにした。尚、バックル（３），（３ａ）を介して帯（８）を締めても良いが、バックル（３），（３ａ）は無しで一環する帯（８）に調整紐（４），（４ａ）を縛ぎ帯（８）の端どうしを直接結んでも良い。尚、弾性材（６），（６ａ）はコイルバネやゴム等でも良い。
【発明の効果】
【０００６】  身体装着型腰掛本体（１）の腰掛面（２）のＣ側とＤ側に立ち上げた立上体（５ａ），（５）を設けた事で腰掛面（２）に腰掛けた作業者の腰骨よりも上で帯（８）が締め付けられるから腰掛けた作業者が立ち上っても身体装着型腰掛本体（１）が尻からズリ落ちる事なくそのまま移動でき連続作業ができる。更にＣ側とＤ側に設けた立上体（５ａ）と（５）に、弾性材（６ａ）と（６）を用いる事で腰掛けた作業者の動きが、スムーズに行く。更に立上体（５ａ）と（５）に調整紐（４ａ）と（４）を設けた事で帯（８）の高さを調整できる。
更に立上体（５）は、腰掛面（２）に跨った作業者の前面側Ｄ側で、作業者の股間に位置する突起（７）から立ち上って、バックル（３）に連結しているから、作業者が作業中に前に擦り寄っても腰掛面（２）より作業者の尻が脱落しない。
【実施例１】
【０００７】  図２は実施例の斜視図で身体装着型腰掛本体（１）の高さを変えられる様に積層体（１０）の適当個所に面ファスナー（９）を設け、身体装着型腰掛本体（１）の底面にも適当個所に面ファスナー（９）を設け、面ファスナーを介して連接して積層体（１０）に重ねて、高さを変えられる様にした。
【実施例２】
【０００８】図３は実施例の斜視図で、身体装着型腰掛本体（１）を車輪（１１）の付いた台車体（１２）に面ファスナー（９）を適当個所に設けた上に乗せ、身体装着型腰掛本体（１）の底面の適当個所に設けた面ファスナー（９）とを、くっ付けて腰掛けた作業者が足を踏ん張れば、そのまま車輪（１１）が回って移動できる。作業現場によって、それぞれの使い分けができる。
【図面の簡単な説明】
【０００９】
【図１】は、本発明の斜視図である。
【図２】及び
【図３】は本発明の実施例の斜視図。
【符号の説明】
【００１０】（１）は、身体装着型腰掛本体。（２）は、腰掛面。（３），（３ａ）は、バックル。
（４），（４ａ）は、調整紐。（５），（５ａ）は、立上体。（６），（６ａ）は弾性材。
（７），（７ａ）は、突起。（８）は、帯。（９）は、面ファスナー。
（１０）は、積層体。（１１）は、車輪。
（１２）は、台車体。
【手続補正２】
【補正対象書類名】特許請求の範囲
【補正対象項目名】全文
【補正方法】変更
【補正の内容】
【特許請求の範囲】
【請求項１】
身体装着型腰掛本体（１）で、身体装着型腰掛本体（１）のＡ側とＢ側を作業者が左右の足で跨いで、腰掛面（２）に腰掛けた作業者の身体の背面側に位置するＣ側の突起（７ａ）に、立上体（５ａ）を設け、作業者身体の前面側に位置するＤ側で作業者の股間に位置する突起（７）に、立上体（５）を設けて、立上体（５ａ）と立上体（５）とに連続する帯（８）が、腰掛面（２）に腰掛けた作業者の身体の腰骨より上で締め付けられる様にしたことを特徴とする身体装着型腰掛。
【請求項２】
身体装着型腰掛本体（１）で、腰掛面（２）のＣ側とＤ側とに設けた立上体（５ａ）と、作業者の股間に位置する突起（７）から立ち上る立上体（５）に弾性材（６ａ），（６）を用いる事を特徴とする請求項１に記載の身体装着型腰掛。